(57)【要約】【課題】皿部の使用時と不使用時との変換を容易とすると共に、皿部に接続する蓋体そのものを無くすことにより、当該蓋体の収納、保管の手間を省く皿ユニットを有する遊技機を提供する。【解決手段】皿部６１の収容部６３内に皿部６１と別体に形成され第１位置と第２位置との間で移動可能な蓋部材８０と、蓋部材８０を第１位置で係止する第１係止手段７１，８４と、蓋部材８０を前記第２位置で係止する第２係止手段７２，８４と、を備え、蓋部材８０に形成された突部８３が皿部６１の内壁部に形成された溝部７０に沿って摺動することで皿部６１内の第１位置と第２位置との間で移動可能に構成され、蓋部材８０が第１位置に係止された状態のときに上部開口部６４を経て収容部６３に物が収容されることを規制すると共に、蓋部材８０が第２位置に係止された状態のときに収容部６３の底部となり物の収容を許容する皿ユニット６０を有する。【選択図】図８
2010264319.tif 000002
【特許請求の範囲】
【請求項１】
壁部により囲まれて形成された収容部と、前記収容部に連通して上方に向けて開口する上部開口部とを備えた皿部が設けられた遊技機において、
前記皿部の前記収容部内に前記皿部と別体に形成され第１位置と第２位置との間で移動可能な蓋部材と、前記蓋部材を前記第１位置で係止する第１係止手段と、前記蓋部材を前記第２位置で係止する第２係止手段と、を備え、
前記蓋部材に形成された突部が前記皿部の内壁部に形成された溝部に沿って摺動することで前記皿部内の前記第１位置と前記第２位置との間で移動可能に構成され、
前記蓋部材が前記第１位置に係止された状態のときに前記上部開口部を経て前記収容部に物が収容されることを規制すると共に、前記蓋部材が前記第２位置に係止された状態のときに前記収容部の底部となり物の収容を許容する皿ユニットを有することを特徴とする遊技機。
【請求項２】
前記皿部の前記収容部に下方開口部が設けられ、前記蓋部材が前記第２位置であるとき前記蓋部材は前記下方開口部を覆うと共に、前記下方開口部から前記蓋部材を移動操作することが可能であることを特徴とする請求項１に記載の遊技機。
【請求項３】
前記下方開口部の開口面積が前記蓋部材の一方の蓋面の面積よりも小であり、前記蓋部材が前記第２位置であるときに前記下方開口部の縁部が前記蓋部材に当接することを特徴とする請求項１又は２に記載の遊技機。
【発明の詳細な説明】
【技術分野】
【０００１】
この発明は遊技機に関する。
【背景技術】
【０００２】
通常、パチンコ遊技機、スロットマシーン等の遊技機は、灰皿、もしくは小物入れとして利用される皿部を備えている。その一方、遊技店（遊技場）においては、遊技機に備えられた皿部ではなく、遊技施設内の所定の備品の使用を遊技者に要請することもある。
【０００３】
このような場合、遊技機の皿部を不使用とするため、当該皿部とは別体の蓋体（アタッチメント）を接続する方法が提案されていた（特許文献１）。
【０００４】
しかしながら、皿部の使用時と不使用時との間で前記の蓋体を付け替えたり、新たに付け加えたりする必要があり、蓋体を分離して持ち運ばなければならなかった。また、遊技機ごとに蓋体の形状が異なることもあり、蓋体の収納、保管が面倒となっていた。
【先行技術文献】
【特許文献】
【０００５】
【特許文献１】特開２００３−３４００８４号公報
【発明の概要】
【発明が解決しようとする課題】
【０００６】
本発明は、このような状況に鑑み提案されたものであり、皿部材の使用時と不使用時との変換を容易とすると共に、皿部材に接続する蓋体そのものを無くすことにより、当該蓋体の収納、保管の手間を省く皿ユニットを有する遊技機を提案する。
【課題を解決するための手段】
【０００７】
すなわち、請求項１の発明は、壁部により囲まれて形成された収容部と、前記収容部に連通して上方に向けて開口する上部開口部とを備えた皿部が設けられた遊技機において、前記皿部の前記収容部内に前記皿部と別体に形成され第１位置と第２位置との間で移動可能な蓋部材と、前記蓋部材を前記第１位置で係止する第１係止手段と、前記蓋部材を前記第２位置で係止する第２係止手段と、を備え、前記蓋部材に形成された突部が前記皿部の内壁部に形成された溝部に沿って摺動することで前記皿部内の前記第１位置と前記第２位置との間で移動可能に構成され、前記蓋部材が前記第１位置に係止された状態のときに前記上部開口部を経て前記収容部に物が収容されることを規制すると共に、前記蓋部材が前記第２位置に係止された状態のときに前記収容部の底部となり物の収容を許容する皿ユニットを有することを特徴とする遊技機に係る。
【０００８】
請求項２の発明は、前記皿部の前記収容部に下方開口部が設けられ、前記蓋部材が前記第２位置であるとき前記蓋部材は前記下方開口部を覆うと共に、前記下方開口部から前記蓋部材を移動操作することが可能であることを特徴とする請求項１に記載の遊技機に係る。
【０００９】
請求項３の発明は、前記下方開口部の開口面積が前記蓋部材の一方の蓋面の面積よりも小であり、前記蓋部材が前記第２位置であるときに前記下方開口部の縁部が前記蓋部材に当接することを特徴とする請求項１又は２に記載の遊技機に係る。
【発明の効果】
【００１０】
請求項１の発明に係る遊技機によると、皿部の収容部内に前記皿部と別体に形成され第１位置と第２位置との間で移動可能な蓋部材と、前記蓋部材を前記第１位置で係止する第１係止手段と、前記蓋部材を前記第２位置で係止する第２係止手段と、を備え、前記蓋部材に形成された突部が前記皿部の内壁部に形成された溝部に沿って摺動することで前記皿部内の前記第１位置と前記第２位置との間で移動可能に構成され、前記蓋部材が前記第１位置に係止された状態のときに前記上部開口部を経て前記収容部に物が収容されることを規制すると共に、前記蓋部材が前記第２位置に係止された状態のときに前記収容部の底部となり物の収容を許容する皿ユニットを有するため、皿部の使用時と不使用時との変換を容易とすると共に、皿部に接続する蓋体そのものを無くすことにより、当該蓋体を皿部から分離して収納、保管しなければならない手間を省くことができる。さらに第１位置及び第２位置における蓋部材の係止が安定化し、また蓋部材の移動に伴って必要とされるスペースは少なくて済む。
【００１１】
請求項２の発明に係る遊技機によると、請求項１の発明において、前記皿部の前記収容部に下方開口部が設けられ、前記蓋部材が前記第２位置であるとき前記蓋部材は前記下方開口部を覆うと共に、前記下方開口部から前記蓋部材を移動操作することが可能であるため、皿部の底面として機能している蓋部材の操作が容易となる。
【００１２】
請求項３の発明に係る遊技機によると、請求項１又は２の発明において、前記下方開口部の開口面積が前記蓋部材の一方の蓋面の面積よりも小であり、前記蓋部材が前記第２位置であるときに前記下方開口部の縁部が前記蓋部材に当接するため、上方（上部開口部）側から蓋部材に力が加わる場合であっても、縁部が蓋部材を保持し、蓋部材は下方開口部から抜け落ちるおそれは無くなる。
【図面の簡単な説明】
【００１３】
【図１】この発明の一実施例に係る遊技機全体の正面図である。
【図２】下皿部材の分解斜視図である。
【図３】第１実施例の皿ユニット及び皿受部材の分解斜視図である。
【図４】図３の前後方向による縦断面図である。
【図５】蓋部材の全体斜視図である。
【図６】皿部材が第２位置にあるときの図３の左右方向による縦断面図である。
【図７】使用可能時の皿ユニットの斜視図である。
【図８】皿部材が移動中の皿ユニットの縦断面図である。
【図９】皿部材が第１位置にあるときの縦断面図である。
【図１０】使用不可能時の皿ユニットの斜視図である。
【図１１】第２実施例の下皿部材の分解斜視図である。
【図１２】図１１の皿ユニットの縦断面図である。
【図１３】図１１の皿ユニットの使用可能状態を示す斜視図である。
【図１４】図１１の皿ユニットの使用不可能状態を示す斜視図である。
【発明を実施するための形態】
【００１４】
以下添付の図面に基づきこの発明の好適な実施形態を説明する。以下、前後、左右の表記は、遊技機と対面する遊技領者側を前、その逆を後とし、遊技機の幅方向であり、遊技者の右手側を右、左手側を左とする。
【００１５】
図１に示す実施例の遊技機１（ここではパチンコ遊技機を例示する。）は、遊技盤３の縁に遊技球の外側誘導レール４及び内側誘導レール５が略円形に立設され、前記内側誘導レール５によって囲まれた遊技領域６の中心線上にその上部から下部に向かって順に表示装置９、普通電動役物である始動入賞口１１、特別電動役物である大入賞口１５、アウト口１７が配設され、また上方両側にはランプ風車１８ａ，１８ｂ、その下方に普通図柄変動開始用左ゲート１９及び普通図柄変動開始用右ゲート２１、その下方に風車２２ａ，２２ｂ、その下方に左袖入賞口２３と右袖入賞口２５、さらには前記大入賞口１５の両側に左落とし入賞口２７と右落とし入賞口２９が配設されている。前記種々の入賞口に遊技球が入賞すると所定数の遊技球が賞球として払い出される。また、判定結果が当たり（この実施例では大当たり）となると、所定の特別遊技状態となって大入賞口１５が適宜の開放態様により開放され、遊技球が入賞し易い状態となる。また、普通図柄変動開始用ゲート１９，２１の検出信号により取得される普通図柄の当たり外れに関係する数値が所定値となった場合、始動入賞口１１が拡大開放状態となる。
【００１６】
前記遊技盤３の前面側には払い出された遊技球を受けるための上側球受け皿３２、同上側球受け皿３２を取り付けるための取付板３３、前記上側球受け皿３２の飽和時に遊技球を受けるための下側球受け皿３４、同下側球受け皿３４が組み付けられている下皿部材３０、遊技状態を報知するランプ表示器３５，３６、音声や効果音を発して遊技状態を遊技者に報知するスピーカ３７、遊技者の発射操作に応じて遊技球を遊技領域６に向けて弾発発射する発射装置Ｈ等がそれぞれ組み付けられている。符号１５１はカードユニットである。
【００１７】
前記表示装置９の図柄表示装置４３は、液晶、ドットマトリックスもしくはＬＥＤ表示装置等の表示装置からなり、この実施例ではカラー表示可能な液晶表示器（ＴＦＴ−ＬＣＤモジュール）等からなる画像表示部（可変表示領域）５０を備えている。前記画像表示部５０は、数字、アルファベット、記号あるいは絵（キャラクタ）等の普通図柄または特別図柄を変動表示及び停止表示可能としている。さらに前記画像表示部５０は、横に並ぶ３つの表示領域に分割されて左側表示領域、中央表示領域、右側表示領域となっており、左側表示領域には左特別図柄が、中央表示領域には中特別図柄が、右側表示領域には右特別図柄が、それぞれ判定図柄として、変動表示及び停止表示可能とされている。前記画像表示部５０はその左下方の隅に普通図柄表示領域４５を有しており、普通図柄が該表示領域４５で所定時間（この実施例では５０秒）変動した後に停止図柄で停止表示される。また、ＬＥＤ等からなる特別図柄変動数記憶表示器５１、普通図柄変動数記憶表示器４７を備えている。図中、符号６０は皿ユニットである。
【００１８】
前記始動入賞口１１は表示装置９の真下に設けられ、二つの可動片１１ａ，１１ｂが背面の始動入賞口用ソレノイドによって通常状態である略垂直の狭小開放状態と略Ｖ字形の拡大開放状態間を変化可能に制御されている。前記始動入賞口１１の拡大開放は、遊技者が視覚を通じて認識する前記普通図柄表示領域４５の図柄が変動停止して特定の図柄が表示された普通図柄当たりとなった時に行われる。
【００１９】
以下、実施例の遊技機１において、皿ユニットの一例として灰皿を用い発明を開示する。図２は、下側球受け皿３４が組み付けられている下皿部材３０を遊技機１の本体部から外した状態である。下皿部材３０において、遊技者側から見て右側（遊技者の右手側）には図示しない発射装置のハンドル（操作ハンドル）が取り付けられ、左側（遊技者の左手側）には皿ユニット６０が備えられている。この皿ユニット６０は皿受部材９０内に挿入されて一体化し、皿受部材９０に突設されている接続突部９１により、下皿部材３０の接続部３０ｓに着脱自在に係合される。図中、符号３８は下皿部材と遊技機本体との接続に用いられるあて板であり、３９は下皿部材及び下側球受け皿を装飾する下皿カバー部材である。
【００２０】
図３及び図４を用い、皿ユニット６０をさらに詳述する。この皿ユニット６０は皿部６１と該皿部６１の底面を成すと共に皿部６１を蓋（皿部の覆い）として閉塞する蓋部材８０とからなる。実施例において、灰皿を示す皿部６１には、筒状の壁部６２により囲まれて形成された収容部６３と、当該収容部６３に連通して上方に向けて開口する上部開口部６４（第１開口部に相当）と、当該収容部に連通して下方に向けて開口する下方開口部６５（第２開口部に相当）が設けられる。下方開口部６５の周囲には縁部６６が備えられる。蓋部材８０が皿部６１の底面として機能する際、当該蓋部材８０は縁部６６と当接して抜け落ちなくなる。図中、符号６９はたばこ置きである。
【００２１】
皿部６１の内面側、すなわち収容部６３を形成する内面側には左右２本のスライド溝７０が設けられている。後述する蓋部材８０のスライド突起８３がこのスライド溝７０に摺動自在に填め合わされている。また、皿部６１の内面側には上係止凹部７１及び下係止凹部７２がそれぞれ４箇所ずつ設けられている。図示の皿受部材９０は、その左右に接続突部９１を備えて前記の下皿部材３０の接続部３０ｓに係合される。皿受部材９０の底面には皿受部材開口部９２が形成されている。
【００２２】
図５に示すように、蓋部材８０には第１蓋面８１と第２蓋面８２が備えられ、互いの蓋面は、スライド突起８３を回転軸として皿部６１内（収容部６３内）で上下反転が可能となる。図示の蓋部材８０は平板状であり、第２蓋面８２を上方に向けた状態である。蓋部材８０は皿部６１を蓋（皿部の覆い）として閉塞するため、当該皿部６１を使用することができないとする場合、その旨を表示すべく、記号８５を表示している第２蓋面８２が現れる。実施例の記号８５は、灰皿として使用禁止を意図するものであり、円に斜線が１本引かれている。蓋部材８０に突設された係止突起８４は、前記の上係止凹部７１、あるいは下係止凹部７２と嵌合することにより、蓋部材８０と皿部６１とは係合される。
【００２３】
図６及び図７を用い、皿ユニット６０が灰皿として機能し、収容部６３に物（例えば、吸い殻等）の収容を許容する状態を説明する。図示のとおり、蓋部材８０は収容部６３の下方の底部に位置している。このように、蓋部材８０が底板となって、下方開口部６５を覆う状態が蓋部材の第２位置である。蓋部材８０の係止突起８４は壁部６２に設けられた下係止凹部７２に嵌合し、蓋部材８０は収容部６３の下方の底部に固定されている。実施例において、下係止凹部７２及び係止突起８４によって第２係止手段が構成される。そのため、蓋部材８０と皿部６１（下方開口部６５）との係止が安定する。
【００２４】
さらに、下方開口部６５の周囲に設けられた縁部６６により蓋部材８０は保持されている。つまり、下方開口部６５の開口面積Ｓａは、蓋部材８０の一方の蓋面（図示では第２蓋面８２）の面積Ｓｂよりも小である。従って、上方（上部開口部）側から蓋部材８０に力が加わったとしても、縁部６６が蓋部材８０を保持するため、蓋部材８０は下方開口部６５から抜け落ちるおそれは無くなる。
【００２５】
皿ユニット６０（皿部６１）は、灰皿としての使用を目的とするため、火の付いたたばこが皿ユニット６０の収容部６３内に収容される。そこで蓋部材８０の第１蓋面８１にたばこの火が接触するため、少なくとも蓋部材８０の第１蓋面８１に耐熱加工が施されていることが必要となる。実施例においては、蓋部材８０全体及び皿部６１は公知のフェノール樹脂等の耐熱性樹脂から成形されている。あるいは、少なくとも蓋部材８０の第１蓋面８１に金属板を張り合わせて耐熱性を強化することも可能である。
【００２６】
図７の使用可能時の皿ユニット６０として示すように、蓋部材８０の第１蓋面８１は第２位置にあるとき、この第１蓋面８１は収容部６３内に臨む底部となる。すなわち、蓋部材８０は筒状の収容部６３の底板（底面）となり、物の収容を許容する。当然ながら、使用を禁止する旨の記号８５が表示されている第２蓋面８２は、皿部６１の外側に向いている。図中の符号Ｔは、たばこである。
【００２７】
図８を用い、蓋部材８０の移動態様を説明する。図８（ａ）に示すように、蓋部材８０は収容部６３の下方の底部から突き上げられて、第２係止手段の下係止凹部７２及び係止突起８４からなる係止状態が解除される。蓋部材８０の押し上げ（矢印Ｄｖ方向）と共に、蓋部材８０に回転（矢印Ｄｃ方向）が加えられる。そうすると、蓋部材８０はスライド溝７０に摺動されながら上昇するスライド突起８３を中心として回転する。図８（ｂ）に示すように、蓋部材８０の回転に伴い、皿部６１内での蓋部材８０の移動がさらに進むと、当該蓋部材８０における第１蓋面８１と第２蓋面８２の上下が逆転する。
【００２８】
皿受部材９０には、皿ユニット６０（皿部６１）の下方開口部６５の直下に当たる位置に対応させるように皿受部材開口部９２が形成されている。そのため、下方開口部６５、皿受部材開口部９２から指等を挿入して蓋部材８０を押し上げ、上方に移動させ、同時に回転操作をすることが容易となっている。
【００２９】
続いて、図９及び図１０に示すように、スライド溝７０の上端にスライド突起８３が達するころ、蓋部材８０は収容部６３の上方である上部開口部６４に到達する。そこで、蓋部材８０の係止突起８４は上係止凹部７１と嵌合して互いに係止される。図示ように、蓋部材８０が皿部６１の覆いとなっている状態が第１位置である。実施例において、上係止凹部７１及び係止突起８４によって第１係止手段が構成される。第２係止手段と同様に、蓋部材８０と皿部６１（上部開口部６４）との係止が安定する。
【００３０】
図１０の使用不可能時の皿ユニット６０として示すように、蓋部材８０の第２蓋面８２は第１位置であるとき、当該第２蓋面８２は、上部開口部６４から皿部上方６４ｊに臨む面となる。すなわち、蓋部材８０は筒状の収容部６３の蓋板となり、物が収容されることを規制する（収容不能とする。）。このような場合、前記のとおり第２蓋面８２の記号８５が現出するため、遊技者等は、皿ユニット６０が使用できないことを認識できる。
【００３１】
特に実施例の皿ユニット６０にあっては、皿部６１の上部開口部６４における上開口縁部６４ｅと、第１位置の蓋部材８０の蓋面（第２蓋面８２）とは同一の高さとされている。高さを揃えて段差を極力少なくすることにより、遊技者が皿部を収容部として認識しなくなり、誤って物（例えばたばこの吸い殻等）を投入するおそれを低減することができる。なお、第１位置の蓋部材８０の蓋面（第２蓋面８２）を皿部６１の上部開口部６４における上開口縁部６４ｅよりも高くしても同様の抑止効果が期待される。
【００３２】
図６ないし図１０に示したとおり、蓋部材８０は皿部６１内で第１位置と第２位置との間で回転を伴って移動可能であるため、移動時に余分なスペースを必要としない。このように回転を伴って移動するため、第１蓋面８１もしくは第２蓋面８２のいずれかが上部に向く。実施例において、蓋部材８０が第１位置（上部開口部６４）にあるとき、第１蓋面８１が筒状の壁部６２の外方、すなわち皿部上方６４ｊに臨む面方向に現れる。また、蓋部材８０が第２位置（下方開口部６５）にあるとき、第２蓋面８２が当該筒状の壁部６２内に臨む面、すなわち皿部６１の底面となって現れる。
【００３３】
当該実施例の構造によると、蓋部材８０が皿ユニット６０（皿部６１）の底部として機能するとき（灰皿として）にたばこ等が押しつけられる蓋面（第１蓋面８１）は、使用不可能時、すなわち皿部の蓋（皿部の覆い）として機能するとき、上下反転するため、汚れが無い蓋面を見せることができる。つまり、使用不可能時の美観を損なうことはない。
【００３４】
次に、第２実施例の皿ユニットを図１１ないし図１４を用い説明する。皿ユニット１６０は略球形状である。この皿ユニット１６０は前記の皿ユニット６０にて開示した皿受部材を介さず、直接、皿ユニット１６０から突設する接続突部１９１により、下皿部材３０の接続部３０ｓに着脱自在に係合される。
【００３５】
図１２の縦断面図に示すように、灰皿を示す皿部１６１には、筒状を形成し球状の壁部１６２により囲まれた収容部１６３と、当該収容部１６３に連通して上方に向けて開口する上部開口部１６４（第１開口部に相当）と、当該収容部に連通して下方に向けて開口する下方開口部１６５（第２開口部に相当）が設けられている。
【００３６】
蓋部材１８０に設けられた係止突起１８４により、蓋部材１８０は下方開口部１６５の周囲に穿設された下係止凹部１７２と嵌合する。蓋部材１８０が皿部１６１の底板となって、下方開口部１６５を覆う状態が蓋部材の第２位置（実線で示す蓋部材１８０を参照）である。蓋部材１８０の第１蓋面１８１は第２位置にあるとき、この第１蓋面１８１は収容部１６３内に臨む底部となる。第２実施例において、下係止凹部１７２及び係止突起１８４によって第２係止手段が構成される。
【００３７】
同様に、上部開口部６４に穿設された上係止凹部１７１とも蓋部材１８０の係止突起１８４は嵌合する。蓋部材１８０が皿部６１の覆いとなっている状態が第１位置である（破線で示す蓋部材１８０を参照）。蓋部材１８０の第２蓋面１８２は第１位置であるとき、当該第２蓋面１８２は、上部開口部１６４から皿部上方１６４ｊに臨む面となる。第２実施例において、上係止凹部１７１及び係止突起１８４によって第１係止手段が構成される。
【００３８】
図１３に示す皿ユニット１６０は使用可能時を示す。上部開口部１６４は開口し、下方開口部１６５は蓋部材１８０により覆われている（第２位置）。すなわち、蓋部材１８０は収容部１６３の底板となり、物（例えば吸い殻）の収容を許容する。図中の符号１６９はたばこ置きである。
【００３９】
図１４は皿ユニット１６０の使用不可能時を示す。この場合、下方開口部１６５に填め合わされていた蓋部材１８０は下方開口部１６５との係合から解かれ、さらに蓋部材１８０は皿部１６１内を回転して上部開口部１６４に嵌合される。そこで、図示のとおり、蓋部材１８０の第２蓋面１８２に現れる。第２実施例においては、当該第２蓋面に皿部１６１（皿ユニット１６０）を使用不可能とする文字情報１８５が表示されている。この文字情報１８５は、「ＮＯ  ＳＭＯＫＩＮＧ」とされ、禁煙の旨を意図している。また、蓋部材１８０は前出の公知の耐熱性樹脂から成形されている。
【００４０】
本発明は、実施例に限定されるものではなく、発明の趣旨を逸脱しない範囲内において構成の一部を適宜変更して実施することができる。実施例では、第１，第２係止手段として、係止凹部と係止突起を備えている。このような嵌合の係止の代わりに磁石を配して磁着力を利用することも可能である。また、蓋面に表示される記号、文字情報は、皿部の用途、目的等により適宜である。
【００４１】
実施例においては、灰皿として皿ユニットをパチンコ遊技機に装着している例を説明したが、アレンジボール遊技機、スロットマシーン等の適宜の遊技機に適用することもできる。また、灰皿としての用途に留まらず、携帯電話、腕時計等の小物受け皿、缶もしくはコップ等の飲み物受け等にも適用することができる。
【符号の説明】
【００４２】
１  遊技機
３０  下皿部材
３０ｓ  接続部
６０，１６０  皿ユニット
６１，１６１  皿部
６２，１６２  壁部
６３，１６３  収容部
６４，１６４  上部開口部
６５，１６５  下方開口部
６６  縁部
７１，１７１  上係止凹部
７２，１７２  下係止凹部
８０，１８０  蓋部材
８１，１８１  第１蓋面
８２，１８２  第２蓋面
８４，１８４  係止突起
８５  記号
９０  皿受部材
９１  接続突部
９２  皿受部材開口部
１８５  文字情報
【図１】
2010264319.tif 000003
【図２】
2010264319.tif 000004
【図３】
2010264319.tif 000005
【図４】
2010264319.tif 000006
【図５】
2010264319.tif 000007
【図６】
2010264319.tif 000008
【図７】
2010264319.tif 000009
【図８】
2010264319.tif 000010
【図９】
2010264319.tif 000011
【図１０】
2010264319.tif 000012
【図１１】
2010264319.tif 000013
【図１２】
2010264319.tif 000014
【図１３】
2010264319.tif 000015
【図１４】
2010264319.tif 000016